(57)【要約】【課題】カバーの開閉状態とユーザの操作に応じて処理を行う電子機器の誤動作を抑制する。【解決手段】ファクシミリ装置１００は、ワンタッチダイヤルキー群４に対してユーザが操作を行った場合に、カバー開閉検知スイッチ５，６の各々が検知したカバー開閉状態が異なるか否か判別する。そして、カバー開閉検知スイッチ５，６の各々が検知したカバー開閉状態が異なると判別された場合に、ワンタッチダイヤルキー群４に対するユーザの操作内容に応じた処理の実行を禁止する。【選択図】図６
2014075738.tif 000002
【特許請求の範囲】
【請求項１】
ユーザにより操作される操作手段と、
開閉可能なカバーと、
前記カバーが開いている状態、及び前記カバーが閉じている状態を示すカバー開閉状態を検知する複数の検知手段と、
前記操作手段に対してユーザが操作を行った場合に、前記複数の検知手段の各々が検知したカバー開閉状態が異なるか否か判別する判別手段と、
前記判別手段により前記複数の検知手段の各々が検知したカバー開閉状態が異なると判別された場合に、前記操作手段に対するユーザの操作内容に応じた処理の実行を禁止する禁止手段と
を備えたことを特徴とする電子機器。
【請求項２】
前記カバーは突起を備え、
前記検知手段は、前記カバーが閉じている状態では、前記突起により押下されるスイッチであることを特徴とする請求項１記載の電子機器。
【請求項３】
他の装置に情報を送信する送信手段をさらに備え、
前記操作手段に対するユーザの操作内容は、前記送信手段により前記情報を送信する宛先を指定する操作内容であり、
前記禁止手段により実行が禁止される処理は、前記送信手段により前記情報を送信する処理であることを特徴とする請求項１または請求項２記載の電子機器。
【請求項４】
前記操作手段に対してユーザが操作を行った場合に、前記複数の検知手段の各々が検知したカバー開閉状態が異なるときは、前記送信手段は予め定められた宛先に前記カバー開閉状態が判別できないことを示す情報を送信することを特徴とする請求項３記載の電子機器。
【請求項５】
前記操作手段に対してユーザが操作を行った場合に、前記複数の検知手段の各々が検知したカバー開閉状態が異なるときは、前記カバーが閉じている状態での宛先と前記カバーが開いている状態での宛先とのいずれか一方を前記ユーザに選択させ、
前記送信手段は、前記ユーザにより選択された宛先に前記情報を送信することを特徴とする請求項３または請求項４に記載の電子機器。
【請求項６】
ユーザにより操作される操作手段と、開閉可能なカバーと、前記カバーが開いている状態、及び前記カバーが閉じている状態を示すカバー開閉状態を検知する複数の検知手段とを備えた電子機器の制御方法であって、
前記操作手段に対してユーザが操作を行った場合に、前記複数の検知手段の各々が検知したカバー開閉状態が異なるか否か判別する判別ステップと、
前記判別ステップにより前記複数の検知手段の各々が検知したカバー開閉状態が異なると判別された場合に、前記操作手段に対するユーザの操作内容に応じた処理の実行を禁止する禁止ステップと
を備えたことを特徴とする制御方法。
【請求項７】
前記カバーは突起を備え、
前記検知手段は、前記カバーが閉じている状態では、前記突起により押下されるスイッチであることを特徴とする請求項６記載の制御方法。
【請求項８】
他の装置に情報を送信する送信ステップをさらに備え、
前記操作手段に対するユーザの操作内容は、前記送信ステップにより前記情報を送信する宛先を指定する操作内容であり、
前記禁止ステップにより実行が禁止される処理は、前記送信ステップにより前記情報を送信する処理であることを特徴とする請求項６または請求項７記載の制御方法。
【請求項９】
前記操作手段に対してユーザが操作を行った場合に、前記複数の検知手段の各々が検知したカバー開閉状態が異なるときは、前記送信ステップにより予め定められた宛先に前記カバー開閉状態が判別できないことを示す情報を送信することを特徴とする請求項８記載の制御方法。
【請求項１０】
前記操作手段に対してユーザが操作を行った場合に、前記複数の検知手段の各々が検知したカバー開閉状態が異なるときは、前記カバーが閉じている状態での宛先と前記カバーが開いている状態での宛先とのいずれか一方を前記ユーザに選択させ、
前記送信ステップでは、前記ユーザにより選択された宛先に前記情報を送信することを特徴とする請求項８または請求項９に記載の制御方法。
【請求項１１】
ユーザにより操作される操作手段と、開閉可能なカバーと、前記カバーが開いている状態、及び前記カバーが閉じている状態を示すカバー開閉状態を検知する複数の検知手段とを備えた電子機器の制御方法をコンピュータに実行させるためのプログラムであって、
前記制御方法は、
前記操作手段に対してユーザが操作を行った場合に、前記複数の検知手段の各々が検知したカバー開閉状態が異なるか否か判別する判別ステップと、
前記判別ステップにより前記複数の検知手段の各々が検知したカバー開閉状態が異なると判別された場合に、前記操作手段に対するユーザの操作内容に応じた処理の実行を禁止する禁止ステップと
を備えたことを特徴とするプログラム。
【発明の詳細な説明】
【技術分野】
【０００１】
本発明は、電子機器及びその制御方法、並びにプログラムに関する。
【背景技術】
【０００２】
従来より、種々の電子機器において、カバーの開閉をセンサーで検知し、カバーの開閉状態により、キー押下時の動作を切り替える仕組みが知られている（例えば、特許文献１参照）。
【０００３】
この特許文献１には、右倒し／左倒しができるカバーの開閉を、両側にそれぞれ設けられたスイッチで検知する構成において、カバーが倒れていない側のスイッチをユーザ自身が誤って押下しないようにするためにスイッチをロックする仕組みが開示されている。
【先行技術文献】
【特許文献】
【０００４】
【特許文献１】特開２００３−０８６９６４号公報
【発明の概要】
【発明が解決しようとする課題】
【０００５】
しかしながら、特許文献１に開示された技術では、スイッチが電気的な接続不良またはメカ的な破損などにより故障した場合の誤動作は防止できない。
【０００６】
従って、カバーの開閉を検知するセンサーが故障した場合、キー押下時にユーザの意図に反した動作を実行してしまう可能性がある。特に、ワンタッチダイヤルキーを用いた送信を行うケースでは、ユーザが意図しない宛先にデータが送信されてしまうことにより、機密情報が漏洩するおそれがある。
【０００７】
本発明の目的は、カバーの開閉状態とユーザの操作に応じて処理を行う電子機器の誤動作を抑制した電子機器及びその制御方法、並びにプログラムを提供することにある。
【課題を解決するための手段】
【０００８】
上記目的を達成するために、請求項１の画像処理装置は、ユーザにより操作される操作手段と、開閉可能なカバーと、前記カバーが開いている状態、及び前記カバーが閉じている状態を示すカバー開閉状態を検知する複数の検知手段と、前記操作手段に対してユーザが操作を行った場合に、前記複数の検知手段の各々が検知したカバー開閉状態が異なるか否か判別する判別手段と、前記判別手段により前記複数の検知手段の各々が検知したカバー開閉状態が異なると判別された場合に、前記操作手段に対するユーザの操作内容に応じた処理の実行を禁止する禁止手段とを備えたことを特徴とする。
【発明の効果】
【０００９】
本発明によれば、カバーの開閉状態とユーザの操作に応じて処理を行う電子機器の誤動作を抑制した電子機器及びその制御方法、並びにプログラムを提供することができる。
【図面の簡単な説明】
【００１０】
【図１】本発明の実施の形態に係るファクシミリ装置の概略構成を示す図である。
【図２】図１における操作部の概略構成を示す図である。
【図３】図２におけるワンタッチダイヤルキー群周辺の外観を示す図である。
【図４】図２におけるワンタッチダイヤルキー群周辺の側面を示す図である。
【図５】図１におけるＣＰＵがカバーの開閉状態を判定するためのカバー判定条件及び判定結果を示す図である。
【図６】図１におけるＣＰＵにより実行されるワンタッチダイヤルキー送信処理の手順を示す図である。
【図７】図１におけるＣＰＵにより実行されるワンタッチダイヤルキー送信処理（その２）の手順を示す図である。
【図８】図１におけるＣＰＵにより実行されるワンタッチダイヤルキー送信処理の変形例の手順を示す図である。
【発明を実施するための形態】
【００１１】
以下、本発明の実施の形態について図面を参照しながら詳述する。なお、本実施の形態では、本発明に係る電子機器をファクシミリ装置に適用した形態について説明する。
【００１２】
図１は、本発明の実施の形態に係るファクシミリ装置１００の概略構成を示す図である。
【００１３】
図１において、ＣＰＵ１０９は、ファクシミリ装置１００全体を制御するコントローラとして機能する。メモリ１１６は、ＣＰＵ１０９が動作するために用いられるシステムワークメモリであり、画像データを一時記憶するための画像メモリとしても使用される。
【００１４】
ＲＯＭ３０３は、システムのブートプログラムが記憶されている。ストレージメモリ３２０は、メインプログラム（ブータブルプログラム）が圧縮された状態で記憶されている。ストレージメモリ３２０は主に、ＮＡＮＤ型フラッシュＲＯＭやハードディスクなどで構成される。また、ストレージメモリ３２０には、後述するフローチャートを実行するためのプログラムが記憶されている。
【００１５】
操作部インタフェース８は、操作部１とＣＰＵ１０９とのインターフェースとして機能し、操作部１に表示するデータを出力し、操作部１からユーザが入力操作した情報をＣＰＵ１０９に伝える。モデム３０８は、公衆回線３０９に接続し、他の装置に情報を送信したり受信する。イメージバスインタフェース３１０は、システムバス３１１と画像データを高速で転送する画像バス３１２を接続し、データ構造を変換するバスブリッジである。
【００１６】
以上説明したＣＰＵ１０９、メモリ１１６、操作部インタフェース８、モデム３０８、ＲＯＭ３０３、ストレージメモリ３２０、及びイメージバスインタフェース３１０は、システムバス３１１を介して情報をやり取りする。
【００１７】
画像バス３１２は、ＰＣＩバスなどの高速バスで構成され、デバイスインタフェース３１３、及び画像処理部３１４が接続される。
【００１８】
デバイスインタフェース３１３は、画像入出力デバイスであるスキャナ３１５やプリンタ３１６と画像バス３１２を接続し、画像データの同期系／非同期系の変換を行う。画像処理部３１４は、入力画像データに対し補正、加工、編集を行い、プリント出力画像データに対して、プリンタの補正、解像度変換等を行う。
【００１９】
図２は、図１における操作部１の概略構成を示す図である。
【００２０】
図２において、表示部２は、メッセージや情報などを表示し、液晶などで構成される。入力キー群３は、ユーザ操作を受け付ける複数のキーであり、プッシュスイッチ部品などで構成される。
【００２１】
ワンタッチダイヤルキー群４は、入力キー群３と同様にユーザ操作を受け付ける複数のキーであるが、特にワンタッチダイヤルキーとしての役割に特化したもので、プッシュスイッチ部品などで構成される。このワンタッチダイヤルキー群４は、ユーザにより操作される操作手段に対応する。
【００２２】
カバー開閉検知スイッチ５は後述する開閉可能なカバーの開閉状態を検知するスイッチであり、操作部コントローラ７の入力ポートに接続しており、プッシュスイッチ部品などで構成される。
【００２３】
カバー開閉検知スイッチ６はカバーの開閉を検知するスイッチであり、カバー開閉検知スイッチ５とは独立しており、操作部コントローラ７の入力ポートに接続しており、プッシュスイッチ部品などで構成される。
【００２４】
操作部コントローラ７は、表示部２に表示情報を出力し、入力キー群３、ワンタッチダイヤルキー群４、カバー開閉検知スイッチ５、カバー開閉検知スイッチ６の状態が入力される。操作部コントローラ７はＣＰＵなどのデバイスで構成される。
【００２５】
図３は、図２におけるワンタッチダイヤルキー群４周辺の外観を示す図である。
【００２６】
図３（Ａ）は、カバー１０を閉じた状態でのワンタッチダイヤルキー群４の外観を示す図である。図３（Ａ）において、ワンタッチダイヤルキー群４として１２個の入力キーが配置されている。
【００２７】
図３（Ｂ）は、カバー１０を開けた状態でのワンタッチダイヤルキー群４の外観を示す図である。カバー１０は、上辺４ｂを軸に開閉可能となっている。図３（Ｂ）においても、ワンタッチダイヤルキー群４として１２個の入力キーが配置されている。
【００２８】
図３（Ｂ）には、カバー１０に２つの突起１１，１２が設けられていることが示され、外装１５には、２つの開口部１３，１４が設けられていることが示されている。突起１１，１２と開口部１３，１４については後述する。
【００２９】
図３において、例えばワンタッチダイヤルキー４ａはカバー１０を閉じた状態では「０１」を選択するためのキーであり、カバー１０を開けた状態では「０９」を選択するためのキーである。
【００３０】
図４は、図２におけるワンタッチダイヤルキー群４周辺の側面を示す図である。
【００３１】
図４において、図３で説明したカバー１０、突起１１，１２、開口部１３，１４、外装１５、及びカバー開閉検知スイッチ５，６が示されている。基板１６は、カバー開閉検知スイッチ５，６を実装するための基盤である。
【００３２】
図４に示されるように、突起１１，１２は、カバー１０が閉じられると、開口部１３，１４に挿入され、突起１１は、カバー開閉検知スイッチ６を押下し、突起１２は、カバー開閉検知スイッチ５を押下するようになっている。
【００３３】
カバー開閉検知スイッチ５，６は、押下されると電気的にオンの状態となり、押下されていないと電気的にオフの状態となり、その状態は操作部コントローラ７に出力される。上記カバー開閉検知スイッチ５，６は、カバー１０が開いている状態、及びカバー１０が閉じている状態を示すカバー開閉状態を検知する複数の検知手段に対応する。本実施の形態では、カバー開閉検知スイッチが２つとなっているが、３つ以上であっても同様の構成で実現できる。
【００３４】
このように、カバー１０は突起１１，１２を備え、カバー開閉検知スイッチ５，６は、カバー１０が閉じている状態では、突起１１，１２により押下されるスイッチである。
【００３５】
図５は、図１におけるＣＰＵ１０９がカバーの開閉状態を判定するためのカバー判定条件及び判定結果を示す図である。
【００３６】
図５において、カバー開閉検知スイッチ５，６のオン、オフ状態の４パターンが示されている。カバー１０が開いているとき、または閉じているときは、カバー開閉検知スイッチ５，６のいずれの状態も同じとなる。従って、状態が異なっているときは、図５に示されるように判定結果は「故障」となる。
【００３７】
一方、状態がいずれもオフのときの判定結果は、カバー１０が「開いている」、となり、状態がいずれもオンの場合の判定結果は、カバー１０が「閉じている」、となる。
【００３８】
図６は、図１におけるＣＰＵ１０９により実行されるワンタッチダイヤルキー送信処理の手順を示す図である。
【００３９】
図６において、いずれかのワンタッチダイヤルキーが押下されると（ステップＳ１でＹＥＳ）、カバー開閉検知スイッチ５，６のオン、オフ状態が一致しているか否か判別する（ステップＳ２）。このステップＳ２は、ワンタッチダイヤルキー群４に対してユーザが操作を行った場合に、カバー開閉検知スイッチ５，６の各々が検知したカバー開閉状態が異なるか否か判別する判別手段に対応する。また、ワンタッチダイヤルキー群４に対するユーザの操作内容は、情報を送信する宛先を指定する操作内容である。
【００４０】
ステップＳ２の判別の結果、カバー開閉検知スイッチ５，６のオン、オフ状態が一致していないときは（ステップＳ２でＮＯ）、故障しているため、表示部２に、カバー開閉に不具合があることを示すエラーメッセージを表示して（ステップＳ６）、本処理を終了する。上記ステップＳ２からステップＳ６に分岐した場合には、ファクシミリが送信が禁止されるので、ステップＳ６は、カバー開閉検知スイッチ５，６の各々が検知したカバー開閉状態が異なると判別された場合に、ワンタッチダイヤルキー群４に対するユーザの操作内容に応じた処理の実行を禁止する禁止手段に対応する。そして、禁止される処理は、情報を送信する処理である。
【００４１】
一方、ステップＳ２の判別の結果、カバー開閉検知スイッチ５，６のオン、オフ状態が一致しているときは（ステップＳ２でＹＥＳ）、カバー１０が開いているか否か判別する（ステップＳ３）。上述したように状態がいずれもオフのときの判定結果は、カバー１０が「開いている」、となる。
【００４２】
ステップＳ３の判別の結果、カバー１０が開いていると判別されたときは（ステップＳ３でＹＥＳ）、開いている状態で、押下されたワンタッチダイヤルキーに対応する番号に宛先が登録済みか否か判別する（ステップＳ４）。例えば、図３（Ｂ）において、ワンタッチダイヤルキー４ａが押下されたときは、ワンタッチダイヤルキー４ａに対応する番号「０９」に宛先が登録済みか否か判別する。
【００４３】
ステップＳ４の判別の結果、押下されたワンタッチダイヤルキーに対応する番号に宛先が登録済みと判別されたときは（ステップＳ４でＹＥＳ）、登録されている宛先にファックス送信し（ステップＳ５）、本処理を終了する。このステップＳ５は、他の装置に情報を送信する送信手段に対応する。
【００４４】
一方、ステップＳ４の判別の結果、押下されたワンタッチダイヤルキーに対応する番号に宛先が登録済みではないと判別されたときは（ステップＳ４でＮＯ）、表示部２に、宛先が登録されていないことを示すエラーメッセージを表示して（ステップＳ８）、本処理を終了する。
【００４５】
ステップＳ３に戻り、ステップＳ３の判別の結果、カバー１０が開いていないと判別されたときは（ステップＳ３でＮＯ）、閉じている状態で、押下されたワンタッチダイヤルキーに対応する番号に宛先が登録済みか否か判別する（ステップＳ７）。例えば、図３（Ａ）において、ワンタッチダイヤルキー４ａが押下されたときは、ワンタッチダイヤルキー４ａに対応する番号「０１」に宛先が登録済みか否か判別する。
【００４６】
ステップＳ７の判別の結果、押下されたワンタッチダイヤルキーに対応する番号に宛先が登録済みと判別されたときは（ステップＳ７でＹＥＳ）、上記ステップＳ５に進む。一方、ステップＳ７の判別の結果、押下されたワンタッチダイヤルキーに対応する番号に宛先が登録済みではないと判別されたときは（ステップＳ７でＮＯ）、上記ステップＳ８に進む。
【００４７】
以上説明した図６の処理によれば、カバー開閉の判定を２つのカバー開閉検知スイッチ５，６を用いて行うことにより、カバー開閉検知スイッチ５，６が同時に故障を起こさない限りカバー開閉誤判定によるファクシミリ誤送信を抑制することができる。
【００４８】
なお、図６の処理では、カバー開閉検知スイッチ５，６のオン、オフ状態が一致していないときは（ステップＳ２でＮＯ）、表示部２にエラーメッセージを表示している（ステップＳ６）。このエラーメッセージの表示に代えて、ＣＰＵ１０９が予め登録済みの装置メーカや販売店のサービス部門の宛先に対し、カバー１０の開閉に関する不具合があることを示す文書を自動作成し、それをファクシミリで自動送信するようにしてもよい。
【００４９】
図６の処理によれば、ワンタッチダイヤルキー群４に対してユーザが操作を行った場合に、カバー開閉検知スイッチ５，６の各々が検知したカバー開閉状態が異なるか否か判別する。そして、カバー開閉検知スイッチ５，６の各々が検知したカバー開閉状態が異なると判別された場合に、ワンタッチダイヤルキー群４に対するユーザの操作内容に応じた処理の実行を禁止する。その結果、カバーの開閉状態とユーザの操作に応じて処理を行う電子機器の誤動作を抑制することができる。
【００５０】
図７は、図１におけるＣＰＵ１０９により実行されるワンタッチダイヤルキー送信処理（その２）の手順を示す図である。
【００５１】
図７において、図６と異なる点は、ステップＳ１０であり、ここではサービスコールを行うようになっている。このサービスコールとは、上述したように不具合があることを示す文書を自動作成し、それをファクシミリで自動送信する処理である。
【００５２】
以上説明した図７の処理によれば、不具合が発生した場合には、自動的にサービスコールを行うことができる。このように、ワンタッチダイヤルキー群４に対してユーザが操作を行った場合に、カバー開閉検知スイッチ５，６の各々が検知したカバー開閉状態が異なるときは、予め定められた宛先にカバー開閉状態が判別できないことを示す情報を送信する。図７の場合は、カバー開閉状態が判別できないことを示す情報がカバー１０の開閉に関する不具合があることを示す文書となっている。
【００５３】
図８は、図１におけるＣＰＵ１０９により実行されるワンタッチダイヤルキー送信処理の変形例の手順を示す図である。
【００５４】
図８に示される変形例では、図６の処理を比較して、カバー開閉検知スイッチ５，６のオン、オフ状態が一致していないときの処理（ステップＳ２０，２１）が異なる。その他のステップＳ１〜８までは、図６と同じであるので、ステップＳ２０の前のステップＳ２から説明する。
【００５５】
カバー開閉検知スイッチ５，６のオン、オフ状態が一致しているか否か判別する（ステップＳ２）。ステップＳ２の判別の結果、カバー開閉検知スイッチ５，６のオン、オフ状態が一致していないときは（ステップＳ２でＮＯ）、押下されたワンタッチダイヤルキーに対応する番号を選択させるための画面を表示部２に表示する。
【００５６】
ここで、押下されたワンタッチダイヤルキーに対応する番号について説明する。カバー開閉検知スイッチ５，６に不具合が生じているので、押下されたワンタッチダイヤルキーに対応する番号は開いている状態の番号と、閉じている状態の番号の２つある。
【００５７】
具体的に、図３のワンタッチダイヤルキー４ａが押下されたときは、開いている状態の番号「０９」か、閉じている状態の番号「０１」の２つの番号のうちのいずれか一方の番号をユーザは認識してワンタッチダイヤルキー４ａを押下している。
【００５８】
従って、番号「０１」か番号「０９」かを選択させるための画面を表示部２に表示する。ここでの表示内容の一例として、「カバー開閉不具合の可能性があります。宛先「０１」なら［Ａ］キーを、宛先「０９」なら［Ｂ］キーを押下してください」という内容が挙げられる。なお、［Ａ］キー、［Ｂ］キーは、操作部１に設けられた異なるキーで予め定めておくようにしてもよい。
【００５９】
また、［Ａ］キーはカバー１０が閉じている状態に対応するキーであり、［Ｂ］キーはカバー１０が開いている状態に対応するキーである。
【００６０】
こうして［Ａ］キー、及び［Ｂ］キーのいずれか一方がユーザにより押下されると、［Ｂ］キーが押下されたか否か判別する（ステップＳ２１）。ステップＳ２１の判別の結果、［Ｂ］キーが押下されたときは、開いているときに対応する上述したステップＳ４に進む。
【００６１】
一方、ステップＳ２１の判別の結果、［Ｂ］キーが押下されなかったときは、閉じているときに対応する上述したステップＳ７に進む。
【００６２】
このように、ワンタッチダイヤルキー群４に対してユーザが操作を行った場合に、カバー開閉検知スイッチ５，６の各々が検知したカバー開閉状態が異なるときは、カバー１０が閉じている状態での宛先とカバー１０が開いている状態での宛先とのいずれか一方をユーザに選択させる。そして、ユーザにより選択された宛先に情報を送信する。
【００６３】
以上説明した図８の処理によれば、不具合が発生した場合であっても、押下されたワンタッチダイヤルキーに対応するいずれかの番号の宛先をユーザが選択することにより、ユーザの意図通りの宛先にファクシミリ送信が可能になる。
【００６４】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００６５】
１  操作部
２  表示部
３  入力キー群
４  ワンタッチダイヤルキー群
５，６  カバー開閉検知スイッチ
１０  カバー
１１，１２  突起
１００  ファクシミリ装置
１０９  ＣＰＵ
１１６  メモリ
【図１】
2014075738.tif 000003
【図２】
2014075738.tif 000004
【図３】
2014075738.tif 000005
【図４】
2014075738.tif 000006
【図５】
2014075738.tif 000007
【図６】
2014075738.tif 000008
【図７】
2014075738.tif 000009
【図８】
2014075738.tif 000010